(57)【要約】【課題】ホルダーとして複数のカップを保持でき、かつ、ホルダーで使用しない際にはコンパクトに収納して省スペース化を図れるカップホルダーを提供する。【解決手段】所定間隔を空けて上下方向に積層され、外形が同じ偶数枚プレートと、偶数枚プレートが上下方向に重なった閉状態と、偶数枚プレートが回動軸を中心に螺旋階段状に配置された開状態との間で、回動軸を中心に回動自在に偶数枚プレートを支持する回動支持部と、上下に隣接するプレート間に各々設けられる複数の連接機構とを備え、偶数枚プレートの最上層から半数には、カップを挿入する開口が形成され、偶数枚プレートは、閉状態から最上層プレートを所定方向へ回転させると、複数の連接機構によって上下に隣接するプレートが連接されて開状態に展開し、開状態においては、開口があるプレートと開口がないプレートとが上下に重なるように各々配置されて複数のカップホルダーを形成する。【選択図】図１
2016222066.tif 000002
【特許請求の範囲】
【請求項１】
所定間隔を空けて上下方向に積層され、同一の外形を有する偶数枚のプレートと、
前記偶数枚のプレートが上下方向に重なり合った閉状態と、前記偶数枚のプレートが所定の回動軸を中心に螺旋階段状に配置された開状態との間で、前記回動軸を中心として回動自在となるように前記偶数枚のプレートを支持する回動支持部と、
前記偶数枚のプレートの上下に隣接するプレートの間にそれぞれ設けられる複数の連接機構とを備え、
前記偶数枚のプレートのうち最上層から半数のプレートには、カップを挿入する開口が形成されており、
前記偶数枚のプレートは、前記閉状態から最上層のプレートを所定方向へ回転させると、前記複数の連接機構の各々によって上下に隣接するプレートが連接されて前記開状態に展開し、
前記開状態においては、前記開口があるプレートと前記開口がないプレートとが上下に重なり合うように各々配置され、複数のカップを保持できるホルダーを形成する、カップホルダー。
【発明の詳細な説明】
【技術分野】
【０００１】
本発明は、自動車用のカップホルダーに関する。
【背景技術】
【０００２】
自動車の車室内には、カップ、缶、ペットボトルなどの飲料容器など（以下「カップ」という）を保持するホルダー（以下「カップホルダー」という）が、設置されている。このカップホルダーは、例えば、インストルメントパネルの前面やコンソールボックスなどの所定の位置に設置されている。例えば、特許文献１を参照。
【先行技術文献】
【特許文献】
【０００３】
【特許文献１】特実平５−０５６６０６号公報
【発明の概要】
【発明が解決しようとする課題】
【０００４】
車室内の任意の１箇所に複数のカップを保持したい場合もある。このような場合、その１箇所に、保持したい複数のカップの数だけ複数のカップホルダーが必要になる。しかし、複数のカップホルダーの設置には、大きなスペースを必要とする。
【０００５】
本発明は、上記課題を鑑みてなされたものであり、ホルダーとして複数のカップを保持することができ、かつ、ホルダーとして使用しないときにはコンパクトに収納して省スペース化を図れる、自動車用のカップホルダーを提供することを目的とする。
【課題を解決するための手段】
【０００６】
上記課題を解決するために、本発明のカップホルダーは、所定間隔を空けて上下方向に積層され、同一の外形を有する偶数枚のプレートと、偶数枚のプレートが上下方向に重なり合った閉状態と、偶数枚のプレートが所定の回動軸を中心に螺旋階段状に配置された開状態との間で、回動軸を中心として回動自在となるように偶数枚のプレートを支持する回動支持部と、偶数枚のプレートの上下に隣接するプレートの間にそれぞれ設けられる複数の連接機構とを備え、偶数枚のプレートのうち最上層から半数のプレートには、カップを挿入する開口が形成されており、偶数枚のプレートは、閉状態から最上層のプレートを所定方向へ回転させると、複数の連接機構の各々によって上下に隣接するプレートが連接されて開状態に展開し、開状態においては、開口があるプレートと開口がないプレートとが上下に重なり合うように各々配置され、複数のカップを保持できるホルダーを形成する、ことを特徴とする。
【０００７】
この本発明のカップホルダーでは、カップを保持するホルダーを形成するプレート対（開口があるプレートと開口がないプレートとによる２枚の組み合わせ）を、回動支持部の回動軸を中心に回動自在に複数積層している。また、積層された偶数枚のプレートの上下に隣接するプレート間に、下側のプレートを上側のプレートに連接させて回動させることを可能とする連接機構をそれぞれ設けている。
【０００８】
この構造により、偶数枚のプレートが上下方向に重なり合った閉状態において、最上層のプレートを所定方向へ回転させるだけで、複数の連接機構の各々によって上下に隣接するプレートがそれぞれ連接されて、偶数枚のプレートを回動軸を中心に螺旋階段状に配置された開状態へ展開することができる。よって、カップを保持できるホルダーを複数形成することができる。このように、カップホルダーを開状態と開状態とに変化させることができるので、複数のカップを保持するホルダーとして使用でき、また、ホルダーとして使用しないときにはコンパクトに収納できる。
【発明の効果】
【０００９】
以上述べたように、本発明のカップホルダーによれば、ホルダーとして複数のカップを保持することができ、かつ、ホルダーとして使用しないときにはコンパクトに収納して省スペース化を図ることができる。
【図面の簡単な説明】
【００１０】
【図１】本発明の一実施形態に係るカップホルダーの構造を示す概略図
【図２】図１のカップホルダーの設置例を示す図
【図３Ａ】図１の上プレートの詳細な形状の一例を説明する図
【図３Ｂ】図１の下プレートの詳細な形状の一例を説明する図
【図４】図１のカップホルダーにおけるプレートの動きを説明する図
【図５】図１のカップホルダーの応用例
【発明を実施するための形態】
【００１１】
［概要］
本発明のカップホルダーは、カップ（飲料容器など）を保持するホルダーを形成するプレート対（カップを挿入する開口があるプレートと開口がないプレートとによる組み合わせ）を、回動軸を中心に回動自在に複数積層した構造を有している。これにより、ホルダーとして利用しないときには、複数のプレート対を上下方向に重ねた状態（閉状態）にでき、またホルダーとして利用するときには、複数のプレート対を回動軸を中心に所定方向へ回転させた状態（開状態）に変化させ、カップを保持するホルダーを複数形成する。よって、ホルダーとして複数のカップを保持することができ、かつ、ホルダーとして使用しないときにはコンパクトに収納して省スペース化を図ることができる。
【００１２】
［自動車用カップホルダーの構造］
図１は、本発明の一実施形態に係るカップホルダー１の構造を示す概略図である。図１に示すカップホルダー１は、複数の上プレート１０ｕと、複数の下プレート１０ｄと、回動支持部２０とを備えている。複数の上プレート１０ｕは、同じ向きで所定間隔を空けて上下方向に積層されている。複数の下プレート１０ｄは、同じ向きで所定間隔を空けて上下方向に積層されている。
【００１３】
複数の上プレート１０ｕおよび複数の下プレート１０ｄは、複数の下プレート１０ｄの上に複数の上プレート１０ｕが積層され、回動支持部２０によって、回動支持部２０の回動軸ｚを中心にそれぞれ回動自在に支持されている。本発明の一実施形態に係るカップホルダー１は、上プレート１０ｕと下プレート１０ｄとの組み合わせによるプレート対が、カップを保持するホルダーを形成する（詳細は後述する）。よって、複数の上プレート１０ｕと複数の下プレート１０ｄとを積層したプレートの数は、偶数枚となる。図１では、６枚の上プレート１０ｕと６枚の下プレート１０ｄとが積層されている例を示している。
【００１４】
本実施形態に係るカップホルダー１は、回動支持部２０に取り付けられたフレーム（図示せず）などを用いて、例えば図２に示したように運転席シートと助手席シートとの間などに設置される。具体的には、回動支持部２０の回動軸ｚの方向が車両に対して上下方向（鉛直方向）となり、回動軸ｚと直交する方向が車両に対して水平方向になる状態で、カップホルダー１が設置される。もちろん、カップホルダー１は、この位置以外にも取り付けが可能である。
【００１５】
図３Ａは、上プレート１０ｕの詳細な形状の一例を説明する上面図、正面図、側面図、および断面図である。図３Ｂは、下プレート１０ｄの詳細な形状の一例を説明する上面図である。
【００１６】
図３Ａに例示する上プレート１０ｕは、略正三角形の平板であって、正三角形の各頂点に対応する３つの端部ａ、端部ｂ、端部ｃにそれぞれ丸みが付けられた外形をしている。上プレート１０ｕの中央（重心Ｇ）位置には、カップ（飲料容器など）を挿入するための貫通した孔である開口１１ｄが開けられている。
【００１７】
上プレート１０ｕの端部ａには、上プレート１０ｕの中央（重心Ｇ）から頂点の方向に距離ｘを有した位置に、回動支持部２０を挿通させるための貫通した孔１１ａが開けられている。また、上プレート１０ｕの下面における孔１１ａの周囲には、高さｈの円環状のリブ１３ａが設けられている。このリブ１３ａは、下側に積層されるプレートとの間隔を決定するスペーサーの役割を果たすと共に、上プレート１０ｕを回動させるときの摺動面となる。なお、リブ１３ａは、上プレート１０ｕの上面における孔１１ａの周囲に設けられてもよい。
【００１８】
上プレート１０ｕの端部ｂの下面には、上プレート１０ｕの中央（重心Ｇ）から頂点の方向に距離ｘを有した位置に、ロック機構部１４が形成されている。ロック機構部１４は、上プレート１０ｕの位置を固定するために使用される構成である。このロック機構部１４は、例えば、リブ１３ａと同じ高さｈの円柱形状の台座部１４ｅと、台座部１４ｅから下側に突出した略半球形状の突起部（ロックボール）１４ｆとで構成される。
【００１９】
また、上プレート１０ｕの端部ｂの上面には、上プレート１０ｕの中央（重心Ｇ）から頂点の方向に距離ｘを有した位置に、窪み１２ｂが形成されている。この窪み１２ｂは、上側に積層されるプレートの端部ｂの下面に形成されたロック機構部１４の突起部１４ｆと嵌合できる形状となっている。具体的には、窪み１２ｂは、突起部１４ｆの略半球形状と同じもしくは少しだけ大きい略半球形状を有している。
【００２０】
上プレート１０ｕの端部ｃの上面には、上プレート１０ｕの中央（重心Ｇ）から頂点の方向に距離ｘを有した位置に、窪み１２ｃが形成されている。この窪み１２ｃも、上述した窪み１２ｂと同じく、上側に積層されるプレートの端部ｂの下面に形成されたロック機構部１４の突起部１４ｆと嵌合できる形状となっている。また、上プレート１０ｕの端部ｃの外縁の一部に、壁状のリブ１３ｂおよび１３ｃが設けられている。このリブ１３ｂおよび１３ｃは、上側に積層されるプレートの端部ｂの下面に形成されたロック機構部１４を当接させ、それ以上の回動を抑止するストッパーの役割を果たす。リブ１３ｂは、プレート収納時（閉状態）にストッパーの役割を果たし、リブ１３ｃは、プレート展開時（開状態）にストッパーの役割を果たす（詳細は後述する）。なお、リブ１３ｂおよび１３ｃの高さをリブ１３ａの高さｈと同じにすれば、リブ１３ｂおよび１３ｃの上面も上プレート１０ｕを回動させるときの摺動面となる。
【００２１】
本実施形態に係るカップホルダー１では、リブ１３ｂおよび１３ｃとロック機構部１４とが連接機構を形成する。より具体的には、上下に隣接するプレートに関して、上側のプレートの下面に形成されたロック機構部１４と、下側のプレートの上面に形成されたリブ１３ｂおよび１３ｃとで、１つの連接機構を形成する。
【００２２】
図３Ｂに例示する下プレート１０ｄは、上述した上プレート１０ｕと同じく、正三角形の平板であって、正三角形の各頂点に対応する３つの端部ａ、端部ｂ、端部ｃにそれぞれ丸みが付けられた外形をしている。下プレート１０ｄが上プレート１０ｕと異なる点は、中央（重心Ｇ）位置にカップを挿入するための貫通した開口１１ｄが開けられていないことである。下プレート１０ｄにおけるそれ以外の形状は、上プレート１０ｕと同じため、図３Ｂでは正面図、側面図、および断面図を省略している。
【００２３】
回動支持部２０は、例えば円柱状の部材である。この回動支持部２０は、複数の上プレート１０ｕおよび複数の下プレート１０ｄの孔１１ａに挿通されて、複数の上プレート１０ｕおよび複数の下プレート１０ｄのそれぞれを回動軸ｚを中心に水平方向に回動自在に支持する。
【００２４】
［カップホルダーの動き］
図４は、図１に示した６枚の上プレート１０ｕと６枚の下プレート１０ｄが積層されたカップホルダー１における、プレートの動きを説明する図である。
【００２５】
上記構造による本発明の一実施形態に係るカップホルダー１は、閉状態と開状態とに変化する。閉状態とは、複数の上プレート１０ｕおよび複数の下プレート１０ｄが上下方向に重なり合った状態である（図１を参照）。開状態とは、複数の上プレート１０ｕおよび複数の下プレート１０ｄが回動軸ｚを中心に螺旋階段状に配置された状態である（図４（ｂ）を参照）。
【００２６】
カップホルダー１を閉状態から開状態へ変化させるには、最上層（１段目）の上プレート１０ｕを所定の方向、本実施例の構造では半時計回りの方向に回転させる。この回転を続けていくと、１段目の上プレート１０ｕの端部ｂの下面に形成されたロック機構部１４が、２段目の上プレート１０ｕの壁状のリブ１３ｃに当たると共に、突起部１４ｆが窪み１２ｃに嵌まってロックされる。これにより、２段目の上プレート１０ｕが、１段目の上プレート１０ｕに連接されて回転する。そして、さらに最上層の上プレート１０ｕの回転を続けていくと、２段目の上プレート１０ｕの端部ｂの下面に形成されたロック機構部１４が、３段目の上プレート１０ｕの壁状のリブ１３ｃに当たると共に、突起部１４ｆが窪み１２ｃに嵌まってロックされる。これにより、３段目の上プレート１０ｕが、２段目の上プレート１０ｕに連接されて回転する。４段目以降のプレートについても同様に回転する（図４（ａ）を参照）。
【００２７】
このように、上側のプレートに形成されたロック機構部１４と下側のプレートに形成された壁状のリブ１３ｃとによるプレート連接機構によって、閉状態にある１段目の上プレート１０ｕを所定の角度、本実施例では半時計回りの方向に略７２０度回転させることで、本実施形態に係るカップホルダー１は、最終的に１２枚のプレートが螺旋階段状に配置された開状態に形状を変化させることができる（図４（ｂ）を参照）。
【００２８】
この変化後の開状態のカップホルダー１では、開口１１ｄがある上プレート１０ｕと開口１１ｄがない下プレート１０ｄとが上下に重なり合うように各々配置され、それぞれの上プレート１０ｕと下プレート１０ｄとの組み合わせ（プレート対）でカップを保持するホルダーを複数形成する。具体的には、１段目の上プレート１０ｕと７段目の下プレート１０ｄとで１つのホルダーを、２段目の上プレート１０ｕと８段目の下プレート１０ｄとで１つのホルダーを、３段目の上プレート１０ｕと９段目の下プレート１０ｄとで１つのホルダーを、４段目の上プレート１０ｕと１０段目の下プレート１０ｄとで１つのホルダーを、５段目の上プレート１０ｕと１１段目の下プレート１０ｄとで１つのホルダーを、６段目の上プレート１０ｕと１２段目の下プレート１０ｄとで１つのホルダーを、それぞれ形成する。
【００２９】
もちろん、本実施形態に係るカップホルダー１は、保持するカップが６つ以外であっても変化可能である。例えば、保持するカップが３つである場合、まずカップホルダー１の最上層である１段目の上プレート１０ｕを１２０度（＝６０度×２）回転させる。そして、次にカップホルダー１の７段目の下プレート１０ｄを１２０度回転させる。これにより、３つのカップを保持できるホルダーが形成される。
【００３０】
一方、カップホルダー１を開状態から閉状態へ変化させるには、最上層（１段目）の上プレート１０ｕを所定の方向、本実施例の構造では時計回りの方向に回転させる。この回転を続けていくと、１段目の上プレート１０ｕの端部ｂの下面に形成されたロック機構部１４が、２段目の上プレート１０ｕの壁状のリブ１３ｂに当たると共に、突起部１４ｆが窪み１２ｂに嵌まってロックされる。これにより、２段目の上プレート１０ｕが、１段目の上プレート１０ｕに連接されて回転する。そして、さらに最上層の上プレート１０ｕの回転を続けていくと、２段目の上プレート１０ｕの端部ｂの下面に形成されたロック機構部１４が、３段目の上プレート１０ｕの壁状のリブ１３ｂに当たると共に、突起部１４ｆが窪み１２ｂに嵌まってロックされる。これにより、３段目の上プレート１０ｕが、２段目の上プレート１０ｕに連接されて回転する。４段目以降のプレートについても同様に回転する。
【００３１】
このように、上側のプレートに形成されたロック機構部１４と下側のプレートに形成された壁状のリブ１３ｂとによるプレート連接機構によって、開状態にある１段目の上プレート１０ｕを所定の角度、本実施例では時計回りの方向に略７２０度回転させることで、本実施形態に係るカップホルダー１は、１２枚のプレートがすべて上下方向に重なり合った閉状態に形状を変化させることができる（図１を参照）。
【００３２】
［実施の形態の効果］
以上のように、本発明の一実施形態に係るカップホルダー１によれば、カップ（飲料容器など）を保持するホルダーを形成するプレート対（上プレート１０ｕと下プレート１０ｄとによる組み合わせ）を、回動支持部２０の回動軸ｚを中心に回動自在に複数積層している。また、積層された複数のプレートの上下に隣接するプレート間に、下側のプレートを上側のプレートに連接させて回動させることを可能とする連接機構（リブ１３ｂおよび１３ｃとロック機構部１４）をそれぞれ設けている。
【００３３】
この構造により、複数の上プレート１０ｕおよび複数の下プレート１０ｄが上下方向に重なり合った閉状態において、最上層の上プレート１０ｕを所定方向へ回転させるだけで、複数の連接機構の各々によって上下に隣接するプレートがそれぞれ連接されて、各プレートを順に螺旋階段状に配置した開状態へ変化させることができる。よって、カップを保持できるホルダーを複数形成することができる。このように、カップホルダーを開状態と開状態とに変化させることができるので、複数のカップを保持するホルダーとして使用でき、また、ホルダーとして使用しないときにはコンパクトに収納できる。
【００３４】
［変形例］
上プレート１０ｕおよび下プレート１０ｄの形状は、上記実施形態で例示した正三角形以外の、例えば、二等辺三角形、円弧、四角形などであってもよい。
【００３５】
上プレート１０ｕの開口１１ｄは、上記実施形態では中央（重心Ｇ）位置に設けているが、中央（重心Ｇ）位置以外に設けてもよい。また、上プレート１０ｕおよび下プレート１０ｄの窪み１２ｂ、１２ｃ、および突起部１４ｆを省略してもよい。
【００３６】
上プレート１０ｕおよび下プレート１０ｄの数は、上記実施形態で例示した１２枚以外の数であってもよい。
【００３７】
［応用例］
また、上側のプレートと下側のプレートとの間隔（高さｈ）を適切に設定すれば、上下に隣接するプレート間にＣＤやＤＶＤなどのディスクケース３０を差し込むことが可能となるため（図５）、カップホルダー１をＣＤホルダーやＤＶＤホルダーとして使用することもできる。
【産業上の利用可能性】
【００３８】
本発明のカップホルダーは、ホルダーとして複数のカップを保持することができ、かつ、ホルダーとして使用しないときにはコンパクトに収納して省スペース化を図りたい場合などに有用である。
【符号の説明】
【００３９】
１      カップホルダー
１０ｕ  上プレート
１０ｄ  下プレート
１１ａ  孔
１１ｄ  開口
１２ｂ、１２ｃ  窪み
１３ａ、１３ｂ、１３ｃ  リブ
１４    ロック機構部
１４ｅ  台座部
１４ｆ  突起部（ロックボール）
２０    回動支持部
３０    ディスクケース
【図１】
2016222066.tif 000003
【図２】
2016222066.tif 000004
【図３Ａ】
2016222066.tif 000005
【図３Ｂ】
2016222066.tif 000006
【図４】
2016222066.tif 000007
【図５】
2016222066.tif 000008